(57)【特許請求の範囲】
【請求項１】
空気調和機の室内機ユニットの内部に取り付けられ、室外機ユニット側と連携してクロスフローファン等の各種制御を行う室内機用コントロールボックスであって、
樹脂製のケーシング本体と、板金製の端子台支持板とを備え、端子台が、締結手段を介して前記端子台支持板に取り付けられており、
前記端子台支持板が、前記ケーシング本体の一側面の大半を覆うとともに、前記端子台の背面と対向して、前記端子台が取り付けられる折曲部をその正面側の端部に有するようにして形成され、前記ケーシング本体の正面側の端部に、前記折曲部の全体を収容する差込部が設けられていることを特徴とする室内機用コントロールボックス。
【請求項２】
請求項１に記載の室内機用コントロールボックスを具備してなることを特徴とする室内機ユニット。
【請求項３】
請求項２に記載の室内機ユニットを具備してなることを特徴とする空気調和機。
【発明の詳細な説明】
【技術分野】
【０００１】
本発明は、空気調和機の室内機ユニットの内部に収容される室内機用コントロールボックスに関するものである。
【背景技術】
【０００２】
従来より、ヒートポンプを用いて室内の冷房運転、除湿運転および暖房運転を行う空気調和装置が普及している。この空気調和装置は、圧縮機および室外熱交換器を備えた室外機ユニットと、室内ファンおよび室内熱交換器を備えた室内機ユニットとの間を冷媒配管で連結し、圧縮機により送出されて循環する冷媒が状態変化を繰り返すことで空気を冷却または加熱するように構成されている。
このうち、空調対象の室内に設置される室内機ユニットは、回路基板等の電気部品を収納したコントロールボックスの制御を受けてファンモータを駆動源とする室内ファンを運転し、吸込口から室内の空気（室内気）を導入するとともに、この室内気を冷媒が通過する室内熱交換器で冷却または加熱して得られる空調空気を吹出口から室内に吹き出すように構成されている（例えば、特許文献１参照）。
なお、室内機ユニットのコントロールボックスは、通常外部から電源供給を受けるとともに、室外機ユニットとの間も電源供給配線および制御信号配線により電気的に接続されている。
【先行技術文献】
【特許文献】
【０００３】
【特許文献１】特開２００６−２５０４０４号公報
【発明の概要】
【発明が解決しようとする課題】
【０００４】
ところで、上記特許文献１に開示されたコントロールボックス５０において、端子台９０はプラスチック製（樹脂製）のリッド７０に取り付けられており、端子台９１はプラスチック製のケーシング本体５１に取り付けられている。そのため、何らかの原因でコントロールボックス５０に引火したような場合には、リッド７０とともに端子台９０が、ケーシング本体５０とともに端子台９１が焼け落ちて、その火が室内機ユニット２０を構成する前面パネル２６等に達し、室内機ユニット２０を構成する前面パネル２６等を焼損させるおそれがあった。
【０００５】
本発明は、上記の事情に鑑みてなされたもので、室内機用コントロールボックスに引火した場合でも、室内機用コントロールボックスとともに端子台が焼け落ちるのを防止することができ、室内機ユニットを構成する前面パネル等への延焼を防止することができる室内機用コントロールボックスを提供することを目的とする。
【課題を解決するための手段】
【０００６】
本発明は、上記課題を解決するため、以下の手段を採用した。
本発明に係る室内機用コントロールボックスは、空気調和機の室内機ユニットの内部に取り付けられ、室外機ユニット側と連携してクロスフローファン等の各種制御を行う室内機用コントロールボックスであって、樹脂製のケーシング本体と、板金製の端子台支持板とを備え、端子台が、締結手段を介して前記端子台支持板に取り付けられており、前記端子台支持板が、前記ケーシング本体の一側面の大半を覆うとともに、前記端子台の背面と対向して、前記端子台が取り付けられる折曲部をその正面側の端部に有するようにして形成され、前記ケーシング本体の正面側の端部に、前記折曲部の全体を収容する差込部が設けられている。
【０００７】
本発明に係る室内機用コントロールボックスによれば、端子台が締結手段を介して板金製の端子台支持板に取り付けられることになるので、万が一、樹脂製のケーシング本体に引火した場合でも、ケーシング本体とともに端子台が焼け落ちるのを防止することができる。
また、本発明に係る室内機用コントロールボックスによれば、薄板状の端子台支持板によってケーシング本体の一側面の大半が覆われるとともに、端子台支持板の正面側の端部に設けられた折曲部がケーシング本体の差込部に収容されることになるので、ケーシング本体のねじれ剛性を向上させることができる。
また、端子台支持板の正面側の端部には、折曲部が設けられており、これにより端子台支板のねじれ剛性が向上することになるので、端子台支持板の板厚を薄くすることができて、製造費の削減および軽量化を図ることができる。
【００１０】
本発明に係る室内機ユニットまたは空気調和機は、万が一、樹脂製のケーシング本体に引火した場合でも、ケーシング本体とともに端子台が焼け落ちるのを防止することができる室内機用コントロールボックスを具備している。
【００１１】
本発明に係る室内機ユニットまたは空気調和機によれば、端子台が焼け落ちて、その火が室内機ユニットを構成する前面パネル等に達することがなくなるので、室内機ユニットを構成する前面パネル等への延焼を防止することができる。
また、端子台が焼け落ちて、その火が室内機ユニットを構成する前面パネル等に達することがなくなるので、火元の特定を容易なものとすることができる。
【発明の効果】
【００１２】
本発明に係る室内機用コントロールボックスによれば、当該コントロールボックスに引火した場合でも、当該コントロールボックスとともに端子台が焼け落ちるのを防止することができ、室内機ユニットを構成する前面パネル等への延焼を防止することができるという効果を奏する。
【図面の簡単な説明】
【００１３】
【図１】本発明の一実施形態に係る空気調和機の斜視図である。
【図２】本発明の一実施形態に係る室内機用コントロールボックスを正面側から見た斜視図である。
【図３】本発明の一実施形態に係る室内機用コントロールボックスを背面側から見た斜視図である。
【図４】本発明の一実施形態に係る室内機用コントロールボックスの要部を拡大して示す要部斜視図である。
【図５】本発明の一実施形態に係る室内機用コントロールボックスの要部を拡大して示す要部断面図である。
【発明を実施するための形態】
【００１４】
以下、本発明の一実施形態について、図１から図５を参照しながら説明する。
図１は本発明に係る空気調和機の一実施形態を示す斜視図、図２は本発明に係る室内機用コントロールボックスの一実施形態を正面側から見た斜視図、図３は本発明に係る室内機用コントロールボックスの一実施形態を背面側から見た斜視図、図４は本発明に係るコントロールボックスの一実施形態の要部を拡大して示す要部斜視図、図５は本発明に係るコントロールボックスの一実施形態の要部を拡大して示す要部断面図である。
【００１５】
図１に示すように、空気調和装置１００は、１台の室内機ユニット２０と、１台の室外機ユニット３０とが冷媒配管４０により連結された構成とされ、ヒートポンプを用いて冷房・除湿運転および暖房運転を行う装置である。
【００１６】
室内機ユニット２０は、空調する室内から空気（室内気）を取り入れるための吸込グリル（吸込口）２１と、この吸込グリル２１から取り入れられた室内気を冷却または加熱して空調するための室内熱交換器２２と、この室内熱交換器２２で空調された空気（空調空気）を室内に戻すための吹出口２３と、吸込グリル２１から空気を取り入れるとともに、吹出口２３から室内に空調空気を吹き出させるためのクロスフローファン（室内ファン）２４と、室内機ユニット２０の内部前面から内部上面にかけて配置されるとともに、吸込グリル２１を通過して室内熱交換器２２に導かれる室内気中から塵・ゴミ等の不純物を取り除くプレフィルター２５とを主たる要素として構成されたものである。
また、室内機ユニット２０の内部には、室外機ユニット３０側と連携してクロスフローファン２４等の各種制御を行う室内機用コントロールボックス（以下、「コントロールボックス」という。）５０が設置されている。
なお、吸込グリル２１および吹出口２３は前面パネル２６に形成され、吹出口２３には空調空気の吹出方向を調整する風向制御装置２７が設けられている。
【００１７】
空調用室外ユニット３０は、冷媒を圧縮するための圧縮機３１、冷媒と室外の空気（外気）との間で熱交換を行わせるための室外熱交換器３２、および室外熱交換器３２における冷媒と室外気との熱交換を促進させる室外ファン３３を有するものである。
また、符号４０は、これら空調用室内ユニット２０および空調用室外ユニット３０を連結するとともに、冷媒をこれら空調用室内ユニット２０および空調用室外ユニット３０の間で循環させるための冷媒配管である。
【００１８】
コントロールボックス５０は回路基板等の電気部品を収納し、室内機ユニット２０内の側端部（図１に示す例では、その正面視において右側に位置する右側端部）付近に配設されている。このコントロールボックス５０は、図２または図３に示すように、プラスチック製（樹脂製）のケーシング本体５１と、板金製の端子台支持板５２とを備えており、これらケーシング本体５１および端子台支持板５２はそれぞれ、図示しない固定手段を介して室内機ユニット２０に固定されている。
ケーシング本体５１は、その外観がおおよそ箱状を呈する部材であり、その正面（前面）下部には、ネジ５３（図５参照）を介して端子台５４を固定するための支持台５５が設けられている。また、この支持台５５の背面（後面）側に位置するケーシング本体５１には、端子台支持板５２の正面側の端部に設けられた（第１の）折曲部（舌片部）５６（図４または図５参照）を収容する差込部５７（図４参照）が設けられている。折曲部５６の中央部には、ネジ５３（締結手段）の軸部５３ａに形成された雄ネジ部５３ｂと螺合する雌ネジ部（締結手段）５６ａが設けられている。
【００１９】
一方、図３に示すように、ケーシング本体５１の背面（後面）には、端子台支持板５２の背面側の端部に設けられた（第２の）折曲部（舌片部）５７の先端部と掛合する爪部５８が高さ方向に沿って複数（本実施形態では４個）設けられているとともに、折曲部５７の先端部に設けられた掛止穴５９と掛合する突起６０が高さ方向に沿って複数（本実施形態では２個）設けられている。
【００２０】
端子台支持板５２は、ケーシング本体５１の一側面の大半を覆うようにして取り付けられた薄板状の部材であり、その正面側の端部には上述した折曲部５６が形成されており、その背面側の端部には上述した折曲部５７が形成されている。
【００２１】
図５に示すように、端子台５４の中央部には、ネジ５３の軸部５３ａが挿通される（第１の）ネジ穴５４ａが設けられており、支持台５５の中央部には、ネジ５３の軸部５３ａが挿通される（第２の）ネジ穴５５ａが設けられている。これらネジ穴５４ａ，５５ａはそれぞれ、端子台５４の厚み方向、支持台５５の厚み方向に貫通する貫通穴であり、雄ネジ部５３ｂの外径よりも若干大きい内径を有している。また、端子台５４は、ネジ５３の軸部５３ａがネジ穴５４ａ，５５ａに挿通された状態で、ネジ５３の雄ネジ部５３ｂが折曲部５６の雌ネジ部５６ａと螺合して、ネジ５３の頭部５３ｃと支持台５５との間に挟み込まれることにより、支持台５５および折曲部５６に固定される。このとき、端子台５４の背面と支持台５５の正面とは接しており、支持台５５の背面と折曲部５６の正面とは接している。
なお、図５中の符号５４ｂは、端子台５４の背面から突出するとともに、支持台５５に設けられた平面視円形状を呈する凹所５５ｂ内に受け入れられる（収容される）位置決め用の突起である。
【００２２】
本実施形態に係るコントロールボックス５０によれば、端子台がネジ５３および雌ネジ部５６ａを介して板金製の端子台支持板５２に取り付けられることになるので、万が一、樹脂製のケーシング本体５１に引火した場合でも、ケーシング本体５１とともに端子台５４が焼け落ちるのを防止することができる。
また、薄板状の端子台支持板５２によってケーシング本体５１の一側面の大半が覆われるとともに、端子台支持板５２の正面側の端部に設けられた折曲部５６がケーシング本体５１の差込部５７に収容されることになるので、ケーシング本体５１のねじれ剛性を向上させることができる。
さらに、端子台支持板５２の正面側の端部には、折曲部５６が設けられており、これにより端子台支持板５２のねじれ剛性が向上することになるので、端子台支持板５２の板厚を薄くすることができて、製造費の削減および軽量化を図ることができる。
【００２３】
一方、本実施形態にかかる室外機ユニット３０または空気調和機１０によれば、端子台５４が焼け落ちて、その火が室内機ユニット２０を構成する前面パネル２６等に達することがなくなるので、室内機ユニット２０を構成する前面パネル２６等への延焼を防止することができる。
また、端子台５４が焼け落ちて、その火が室内機ユニット２０を構成する前面パネル２６等に達することがなくなるので、火元の特定を容易なものとすることができる。
【００２４】
なお、本発明は上述した実施形態に限定されるものではなく、本発明の要旨を逸脱しない範囲で各種変更・変形が可能である。
【符号の説明】
【００２５】
２０    室内機ユニット
２４    クロスフローファン
３０    室外機ユニット
５０    コントロールボックス（室内機用コントロールボックス）
５１    ケーシング本体
５２    端子台支持板
５３    ネジ（締結手段）
５４    端子台
５６    折曲部
５６ａ  雌ネジ部
５７    差込部
１００    空気調和機
【図１】
0005473504.tif 000002
【図２】
0005473504.tif 000003
【図３】
0005473504.tif 000004
【図４】
0005473504.tif 000005
【図５】
0005473504.tif 000006